(57)【要約】【課題】屋根に積もった雪が流れ落ちた際にも、凹凸屋根材と面戸との接続状態が安定に維持される屋根構造を提供すること。【解決手段】屋根構造は、底面部２１及び凸部２２を有する凹凸屋根材２と、板状部３１に閉鎖部３２を有する面戸３を備え、面戸は、軒方向に相互に離間して隣り合う閉鎖部の間で、かつ閉鎖部より軒側前方の位置に係止部３３を備え、係止部は、板状部から上方に突出し、底面部の厚みと同等の高さを有する受け片部３３１と、受け片部上端から棟側に延びる係止突片部３３２を備え、係止部が、底面部の軒側端部を把持して係止するとともに、閉鎖部が、凹凸屋根材の軒側端部付近の凸部の内側に嵌め込まれており、閉鎖部によって凸部の軒側端部側の開口部２２ａが閉鎖されている。【選択図】図１
2018084117.tif 000002
【特許請求の範囲】
【請求項１】
屋根下地の上に設けられた凹凸屋根材の軒側に、面戸が接続している屋根構造であって、
前記凹凸屋根材は、平坦な底面部と、この底面部から上方に突出し、かつ、軒側端部に開口部を有する畝状の凸部とが軒棟方向に向かって延びる凹凸形を軒方向に複数備えており、
前記面戸は、板状部と、前記板状部から上方に突出し、前記板状部の軒側端部から間隔をおいて、かつ、軒方向に相互に離間して設けられた複数の閉鎖部と、
離間して隣り合う前記閉鎖部の間で、かつ前記閉鎖部より軒側前方の位置に係止部とを有し、
前記係止部は、前記板状部から上方に突出する受け片部と、前記受け片部上端から棟側に延びる係止突片部を備え、
前記係止部が、前記凹凸屋根材の前記底面部の軒側端部を把持して係止するとともに、前記閉鎖部が、前記凹凸屋根材の軒側端部付近の前記凸部の内側に嵌め込まれて軒側端部側の前記開口部が閉鎖されていることを特徴とする屋根構造。
【請求項２】
前記係止部が、前記板状部の一部が切り起こされて形成されることを特徴とする請求項１に記載の屋根構造。
【発明の詳細な説明】
【技術分野】
【０００１】
本発明は、建物の屋根構造に関する。
【背景技術】
【０００２】
従来より、建物屋根において、屋根下地材の上に凹凸屋根材を配設した構造が知られている。そして、本出願人も、屋根下地材の上に設けられた凹凸屋根材の軒側端部に、面戸が設けられた屋根構造を提案している（特許文献１）。この屋根構造では、凹凸屋根材の凸部の軒側端部に縦長の係止用孔が設けられ、面戸には、凹凸屋根材の凸部の軒側開口を閉塞する閉鎖部と、この閉鎖部から縦長に突出する係止用突部が設けられている。面戸の係止用突部が、凹凸屋根材の凸部の係止用孔に挿入されて係止されることで、凹凸屋根材と面戸が接続されている。
【先行技術文献】
【特許文献】
【０００３】
【特許文献１】特開2014−95237号公報
【発明の概要】
【発明が解決しようとする課題】
【０００４】
しかしながら、特許文献１の屋根構造の場合、例えば、屋根に積もった雪が固まった状態で流れ落ちる際に、雪が縦長の係止用突部に接触することで、係止用孔に挿入されている係止用突部が外れてしまうことが懸念されていた。係止用突部が外れた状態で、例えば強風が吹いた場合、凹凸屋根材が浮き上がり、凹凸屋根材が破損したり、凹凸屋根材と面戸の間に隙間が生じることがあり、この隙間から雨水や虫などが侵入してしまうということも考えられた。
【０００５】
本発明は、以上のとおりの事情に鑑みてなされたものであり、例えば、凹凸屋根材などの上に積もった雪が流れ落ちた場合でも、凹凸屋根材と面戸との接続状態が安定に維持される屋根構造を提供することを課題としている。
【課題を解決するための手段】
【０００６】
本発明は、上記の課題を解決するために、以下のことを特徴としている。
【０００７】
すなわち、本発明の屋根構造は、屋根下地の上に設けられた凹凸屋根材の軒側に、面戸が接続している屋根構造であって、前記凹凸屋根材は、平坦な底面部と、この底面部から上方に突出し、かつ、軒側端部に開口部を有する畝状の凸部とが軒棟方向に向かって延びる凹凸形を軒方向に複数備えており、前記面戸は、板状部と、前記板状部から上方に突出し、前記板状部の軒側端部から間隔をおいて、かつ、軒方向に相互に離間して設けられた複数の閉鎖部と、離間して隣り合う前記閉鎖部の間で、かつ前記閉鎖部より軒側前方の位置に係止部とを有し、前記係止部は、前記板状部から上方に突出する受け片部と、前記受け片部上端から棟側に延びる係止突片部を備え、前記係止部が、前記凹凸屋根材の前記底面部の軒側端部を把持して係止するとともに、前記閉鎖部が、前記凹凸屋根材の軒側端部付近の前記凸部の内側に嵌め込まれて軒側端部側の前記開口部が閉鎖されていることを特徴としている。
【発明の効果】
【０００８】
本発明の屋根構造によれば、例えば、凹凸屋根材に積もった雪が軒側に流れ落ちた場合でも、凹凸屋根材と面戸との接続状態を安定に維持させることができる。
【図面の簡単な説明】
【０００９】
【図１】本発明の屋根構造の一実施形態を示した軒側の分解斜視図である。
【図２】図１の屋根構造を備えた建物の一部を示した斜視図である。
【図３】面戸の部分拡大斜視図である。
【図４】凹凸屋根材の部分拡大斜視図である。
【図５】凹凸屋根材と面戸の接合状態を示した部分斜視図である。
【発明を実施するための形態】
【００１０】
図１は、本発明の屋根構造の一実施形態を示した軒側の分解斜視図であり、図２は、図１の屋根構造を備えた建物の一部を示した斜視図である。図３は面戸の部分拡大図であり、凹凸屋根材の部分拡大斜視図である。
【００１１】
本実施形態の屋根構造は、屋根下地の上に設けられた凹凸屋根材２の軒側に面戸３が接続されている。凹凸屋根材２は、平坦な底面部２１と、底面部２１から上方に突出し、かつ、軒側端部に開口部２２aを有する畝状の凸部２２とが軒棟方向に延びる凹凸形を複数備えている。
【００１２】
凸部２２は、底面部２１から立ち上がり、かつ、互いに離間して対向する一対の起立面部２２１と、一対の起立面部２２１の上端２２１a同士を接続する上面部２２２とを備えている。
【００１３】
面戸３は、軒方向に長い板状部３１と、この板状部３１から上方に突出し、板状部３１の軒側端部から間隔をおいて、かつ、軒方向に相互に離間して設けられた複数の閉鎖部３２を備えている。
【００１４】
また、面戸３は、離間して隣り合う閉鎖部３２の間で、かつ閉鎖部３２より軒側前方の位置に係止部とを有している。係止部３３は、板状部から上方に突出する受け片部３３１と、受け片部３３１上端から棟側に延びる係止突片部３３２を備えている。
【００１５】
そして、係止部３３が、凹凸屋根材２の底面部２１の軒側端部を把持して係止するとともに、閉鎖部３２が、凹凸屋根材の軒側端部付近の凸部の内側に嵌め込まれており、閉鎖部３２によって凸部２２の軒側端部の開口部２２aが閉鎖されている。
【００１６】
以下、図面に沿って、さらに、本実施形態の屋根構造について詳述する。本実施形態の屋根構造は、例えば、図２に示すような片流れ屋根や切妻屋根などを有する建物１に採用することができる。なお、本発明においては、図２に示す傾斜した屋根面に沿って軒と棟を結ぶ矢印Ｄ１に示す方向を「軒棟方向」とし、軒に沿う矢印Ｄ２に示す方向を「軒方向」として説明する。
【００１７】
本実施形態の屋根構造は、図２に示すように、屋根下地の上に設けられた凹凸屋根材２の軒側に面戸３が接続されている。また、複数の凹凸屋根材２で構成される屋根面上には、機能パネルとしての太陽光発電パネルＰが設けられている。屋根下地は、垂木等の構造躯体上に設けられた野地板１１で構成されている。野地板１１は棟側から軒側に向かって斜め下方に傾斜している。さらに、野地板１１の下方に設けられている鼻隠し板（図示していない）の外側（軒側）には軒樋１２が設けられている。
【００１８】
凹凸屋根材２は、図１、図２、図４及び図５に示すように、野地板１１上に軒方向に複数並べて載置されている。凹凸屋根材２の材料は特に限定されないが、例えば鋼板などの金属板を例示することができる。また、隣り合う凹凸屋根材２は、野地板１１上に設けられた連結具（図示していない）を介して連結されている。連結具は、例えばネジや釘等の固着具を用いて野地板１１に固定される。
【００１９】
凹凸屋根材２は、平坦な底面部２１と、この底面部２１から上方に突出する畝状の凸部２２とを有している。凹凸屋根材２は、底面部２１と凸部２２とが軒棟方向に交互に複数形成されており、凸部２２の下側及び軒側端部には開口部２２aが形成されている。
【００２０】
凸部２２は、底面部２１から立ち上がり、かつ、互いに離間して対向する一対の起立面部２２１と、一対の起立面部２２１の上端２２１a同士を接続する上面部２２２とを備えている。起立面部２２１は、底面部２１に対して略直角に起立しており、上面部２２２によって接続される一対の起立面部２２１同士は互いに平行である。
【００２１】
面戸３は、図１、図２及び図３に示すように、野地板１１の軒側端部に設けられており、軒方向に長い板状部３１と、板状部３１から上方に突出し、板状部３１の長手方向に沿って設けられた複数の閉鎖部３２とを備えている。面戸３の材料は特に限定されないが、例えば鋼板などの金属板で形成することができる。
【００２２】
板状部３１は、矩形状であり、ネジや釘などの固着具や接着剤を使用することで野地板１１の軒側端部付近に固定することができる。また、面戸３の板状部３１においては、図３に示すように、軒側端部に斜め下方に向け突出した水切部を設けることもできる。
【００２３】
閉鎖部３２は、板状部３１の軒方向に沿って等間隔に複数配置されており、板状部３１の軒側端部から間隔をおいて立ち上がり、板状部３１の長手方向に平行かつ長尺な矩形板状となっている。閉鎖部３２は、図１に示すように、板状部３１の一部を切り起こして閉鎖部３２として形成してもよいし、図３に示すように、板状部３１とは別体に成形して板状部３１の所定の位置に接続してもよい。
【００２４】
本実施形態の屋根構造では、図１に示すように、閉鎖部３２の高さＨ１と、凸部２２の高さ（底面部２１から上面部２２の下側までの長さ）Ｈ２は略等しく設計されている。また、閉鎖部３２の閉鎖部３２の幅（長手方向の長さ）Ｗ１は、凸部２２の対向する起立面部２２１同士の間の距離Ｗ２と略等しく設計されている。さらに、隣接する閉鎖部３２同士の間隔Ｌ１は、凹凸屋根材２の底面部２１の幅Ｌ２と略等しく設計されている。
【００２５】
また、面戸３の板状部３１には、図１、図３及び図５に示すように、互いに離間して隣り合う閉鎖部３２の間で、かつ、閉鎖部３２と面戸３の軒側端部の間の位置に係止部３３が配設されている。
【００２６】
係止部３３は、凹凸屋根材２の底面部２１の軒側端部を把持して固定する部材であり、板状部３１から上方に突出する底面部２１の厚みと同等の高さを有する受け片部３３１と、受け片部３３１上端部から棟方向に延びる係止突片部３３２を備えている。なお、受け片部３３１と係止突片部３３２は、板状部３１とは別体に成形して板状部３１に接続してもよい。
【００２７】
また、本実施形態の屋根構造では、図１に示すように、係止部３３は、板状部３１の一部が切り起こされて形成されていることが好ましい。係止部３３を板状部３１の一部から切り起こして形成することにより、係止部３３の形成を容易にできるとともに、十分な強度を有する係止部３３とすることができる。
【００２８】
形成する係止部３３の幅や数は特に限定されるものではなく、隣り合う閉鎖部３２の間で、かつ、閉鎖部３２と面戸の軒側端部の間の位置に１つ設けてもよいし、軒方向に複数設けてもよい。
【００２９】
本実施形態の屋根構造は、例えば以下の手順により構築することができる。まず、野地板１１上に面戸３を固定する。その際、面戸３の閉鎖部３２から軒側に係止部３３が位置するように面戸３を野地板１１上に配設する。
【００３０】
次に、凹凸屋根材２を図１の矢印Ａ方向に下して面戸３の棟側に当接させ、続けて矢印Ｂの方向に軒側にスライドして移動させて、面戸３の係止部３３の受け片部３３１に当接させる。これにより、凹凸屋根材２の凸部２２の軒側端部に、対応する閉鎖部３２が挿入されるとともに、面戸３の係止部３３に凹凸屋根材２の底面部２１の軒側端部が嵌り込む。
【００３１】
ここで、係止部３３の受け片部３３１の配設位置により、凹凸屋根材２の軒側端部の位置が決定する。また、係止部３３の受け片部３３１の配設位置と閉鎖部３２の位置関係により、凹凸屋根材２の各凸部２２のに挿入される閉鎖部３２の位置が決定する。
【００３２】
そのため、本実施形態の屋根構造においては係止部３３の形成位置が非常に重要であり、屋根の設計やデザインに応じて決定することが考慮される。
【００３３】
次に、この状態で凹凸屋根材２を野地板１１に固定する。これにより、面戸３の各閉鎖部３２が対応する凸部に挿入された状態、かつ、凹凸屋根材２の底面部２１が係止部３３に係止された状態で、野地板１１、面戸３及び凹凸屋根材２が一体に固定される。
【００３４】
本実施形態の屋根構造によれば、凹凸屋根材２の底面部２１の軒側端部が面戸３の係止部３３の受け片部３３１により支持されているので、例えば、凹凸屋根材２や太陽光パネルＰの上に積もった雪が軒側に流れ落ちた場合でも、凹凸屋根材２と面戸３との接続状態が安定に維持される。また、凹凸屋根材２の底面部２１が、係止突片部３３２により上方から押さえるように固定されているので、例えば、強風による凹凸屋根材２の破損や浮き上がり等を防止することができる。
【００３５】
さらに、凹凸屋根材２の位置決めが簡単にできるため、閉鎖部３２によって凸部２２の軒側端部の開口部２２aを閉鎖することこができる。このため、雨水や小鳥、虫などが凹凸屋根材２の内側に侵入することを抑制することができる。また、閉鎖部３２が凸部２２の軒側端部の開口部２２aに入り込んで閉鎖しているため、積雪等により凹凸屋根材２の上に荷重がかかった場合でも、凸部２２の変形等を防止することができる。
【００３６】
以上、実施形態に基づき本発明の屋根構造を説明したが、本発明は上記の実施形態に何ら限定されるものではなく、その要旨を逸脱しない範囲内において各種の変更が可能である。
【００３７】
例えば、上記実施形態では係止部３３を隣り合う閉鎖部３２の間、かつ、閉鎖部３２と面戸の軒側端部の間の軒側寄りの位置に設けたが、係止部３３の受け片部３３１と閉鎖部３２とが直線的に並ぶ位置に設けることもできる。これにより、凹凸屋根材２の凸部２２の開口部２２aと、閉鎖部３２とを略面一の構成とすることができる。
【００３８】
また、上記実施形態では、機能パネルを太陽光発電パネルＰとしたが、その他の機能を有するパネルで構成しても構わない。また、機能パネルは省略することもできる。また、本発明は片流れ屋根だけではなく切妻屋根等のその他の形状の屋根にも適用可能である。
【符号の説明】
【００３９】
２      凹凸屋根材
２１    底面部
２２    凸部
２２a  開口部
２２１  起立面部
２２１a  上端
２２２  上面部
３      面戸
３１    板状部
３２    閉鎖部
３３  係止部
３３１  受け片部
３３２  係止突片部
【図１】
2018084117.tif 000003
【図２】
2018084117.tif 000004
【図３】
2018084117.tif 000005
【図４】
2018084117.tif 000006
【図５】
2018084117.tif 000007